【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
音声システムにおいて、
指向性に関連する少なくとも１つの周波数範囲内の少なくとも１つの情報チャンネルにおいて、
第１の音響トランスデューサ構造体（ＳＡ）が単軸極応答パターンの最大方向感度において延びるか又はトロイダル極応答パターンの回転対称軸である第１の軸（ＶＡ）を有し、
第２の音響トランスデューサ構造体（ＳＢ）が単軸極応答パターンの最大方向感度において延びるか又はトロイダル極応答パターンの回転対称軸である第２の軸（ＶＢ）を有し、
前記第１及び第２の音響トランスデューサ構造体（ＳＡ、ＳＢ）が伝送波長に対して平坦又は凸状の膜部材を有する、
厳密に２つの前記音響トランスデューサ構造体（ＳＡ、ＳＢ）の少なくとも１つのペアと、
前記第１及び前記第２の音響トランスデューサ構造体（ＳＡ、ＳＢ）の両方が人間の基準聴取者（Ｃ２）の正中面（Ｃ３）の同じ側か又は該正中面（Ｃ３）上に存在している場合には、前記正中面（Ｃ３）と、前記第１の音響トランスデューサ構造体（ＳＡ）及び前記第２の音響トランスデューサ構造体（ＳＢ）の音響中心（ＡＣ、ＢＣ）を結ぶ線（Ｚ）との間で実質的に−３０度から３０度の角度、
前記第１及び第２のトランスデューサ構造体（ＳＡ、ＳＢ）が共に単軸極応答パターン又はトロイダル極応答パターンのいずれかを有する場合には、前記第１の軸（ＶＡ）と前記第２の軸（ＶＢ）との間で実質的に７０度から１１０度の角度、及び前記正中面（Ｃ３）と前記第１又は第２の軸（ＶＡ、ＶＢ）のいずれかとの間で実質的に７０度から１１０度の角度、
前記第１の音響トランスデューサ構造体（ＳＡ）が単軸極応答パターンを有し且つ前記第２のトランスデューサ構造体（ＳＢ）がトロイダル極応答パターン（ＳＢ）を有する場合には、前記第１の軸（ＶＡ）と前記第２の軸（ＶＢ）に対して垂直な平面との間で７０度から１１０度の角度、及び前記正中面（Ｃ３）と前記第１の軸（ＶＡ）又は前記第２の軸（ＶＢ）に対して垂直な前記平面のいずれかとの間で７０度から１１０度の角度、
を得るように前記音響トランスデューサ構造体（ＳＡ、ＳＢ）を配向する手段と、
を備え、
前記人間の基準聴取者（Ｃ２）の位置Ｐが、前記第１及び第２の音響トランスデューサ構造体（ＳＡ、ＳＢ）の最大方向感度のそれぞれの主軸及び／又は平面に対して軸外にあり、
前記音声システムには更に、
前記トランスデューサ構造体（ＳＡ、ＳＢ）から受信され、又は該トランスデューサ構造体（ＳＡ、ＳＢ）に供給される電気信号を処理（ＳＢＴ；ＡＭＰ）する手段、
が設けられ、
前記トランスデューサ構造体がラウドスピーカ（Ｌ１、Ｌ２）である場合、前記配向手段及び前記処理手段（ＡＭＰ）が、前記ラウドスピーカ（Ｌ１、Ｌ２）に共通である少なくとも前記情報に対して前記位置（Ｐ）において実質的に位相コヒーレントな音声波を得るように適合されている、
ことを特徴とする音声システム。
【請求項２】
前記第１及び第２の音響トランスデューサ構造体（ＳＡ、ＳＢ）は、前記関連周波数範囲に対して、単調な拡散場応答を有し、前記第１及び第２の音響トランスデューサ構造体（ＳＡ、ＳＢ）の最大方向感度の主軸及び／又は平面に対する緯線に沿って軸外平坦自由音場応答を有する、
ことを特徴とする請求項１に記載の音声システム。
【請求項３】
前記第１及び第２の音響トランスデューサ構造体（ＳＡ、ＳＢ）が回転対称極応答パターンを有する、
ことを特徴とする請求項１に記載の音声システム。
【請求項４】
前記第１及び第２の音響トランスデューサ構造体（ＳＡ、ＳＢ）が、同じオーダーのバッフルステップから導出された極応答パターンを有する、
ことを特徴とする請求項１に記載の音声システム。
【請求項５】
前記バッフルステップは、人間の頭部のオーダーの寸法を有する空気カップリング面に関連する、
ことを特徴とする請求項４に記載の音声システム。
【請求項６】
前記第１の音響トランスデューサ構造体（ＳＡ）の主軸又は平面は、実質的に前記第２のトランスデューサ構造体（ＳＢ）の音響中心（ＢＣ）に向いている、
ことを特徴とする請求項１に記載の音声システム。
【請求項７】
前記第１の音響トランスデューサ構造体（ＳＡ）が、前記周波数範囲を合わせてカバーするように同心状に配列された複数のトランスデューサを含む、
ことを特徴とする請求項１に記載の音声システム。
【請求項８】
モノフォニックチャンネルにおいて前記第１のトランスデューサ構造体（ＳＡ）と前記第２の音響トランスデューサ構造体（ＳＢ）だけを含む、
ことを特徴とする請求項１に記載の音声システム。
【請求項９】
位置決めするための手段は、一方の前記第１の音響トランスデューサ構造体（ＳＡ）の音響中心（ＡＣ）と前記人間の基準聴取者の位置（Ｐ）とを結ぶ第１の想像線と、他方の前記第２の音響トランスデューサ構造体（ＳＢ）の音響中心（ＳＢ）と同じ前記位置（Ｐ）とを結ぶ第２の想像線との間で、１０度から１７０度の領域の角度を得るような互いに対する距離で前記第１及び第２の音響トランスデューサ構造体（ＳＡ、ＳＢ）を位置決めするように適合されている、
ことを特徴とする請求項１に記載の音声システム。
【請求項１０】
前記第１及び前記第２のトランスデューサ構造体（ＳＡ、ＳＢ）が両方共に単軸トロイダル極応答パターン又はトロイダル極応答パターンのいずれかを有する場合には、前記第１の軸（ＶＡ）と前記第２の軸（ＶＢ）との間の角度が実質的に９０度であり、前記正中面（Ｃ３）と前記第１又は第２の軸（ＶＡ、ＶＢ）のいずれかとの間の角度が実質的に９０度であり、
前記第１の音響トランスデューサ（ＳＡ）が単軸極応答パターンを有し、前記第２のトランスデューサ構造体（ＳＢ）がトロイダル極応答パターンを有する場合には、前記第１の軸（ＶＡ）と前記第２の軸（ＶＢ）に対して垂直な平面との間の角度が実質的に９０度であり、前記正中面（Ｃ３）と前記第１の軸（ＶＡ）又は前記第２の軸（ＶＢ）に対して垂直な平面のいずれかとの間の角度が実質的に９０度である、
ことを特徴とする請求項１に記載の音声システム。
【請求項１１】
前記第１及び第２の音響トランスデューサ構造体（ＳＡ、ＳＢ）が、平坦膜部材又は凸状膜部材を有するピストン式又は撓み波コンバータであるトランスデューサから選択されたトランスデューサ（Ｌ１、Ｌ２）を含み、前記凸状膜部材が前記構造体から突出する、
ことを特徴とする請求項１に記載の音声システム。
【請求項１２】
前記第１及び／又は第２の音響トランスデューサ（Ｌ１、Ｌ２）が、異なる周波数帯域において複数のサブ音声波を発生させるための複数の同心状膜部材をそれぞれ有する、
ことを特徴とする請求項１１に記載の音声システム。
【請求項１３】
前記第１及び前記第２の音響トランスデューサ構造体（ＳＡ、ＳＢ）が各々、少なくとも１つのラウドスピーカ（Ｌ１、Ｌ２）を含む、
ことを特徴とする請求項１に記載の音声システム。
【請求項１４】
同じ電気信号を前記第１及び前記第２の音響トランスデューサ（Ｌ１、Ｌ２）に供給するための少なくとも１つの増幅器（ＡＭＰ）、
を更に含む請求項１３に記載の音声システム。
【請求項１５】
前記第１及び第２の音響トランスデューサ構造体（ＳＡ、ＳＢ）が各々、少なくとも１つのマイクロフォンを含み、第１のマイクロフォンによって登録された第１の信号（ＤＡ１）と前記第２のマイクロフォンによって登録された第２の信号（ＤＢ１）を保存するためのオーディオレコーダデバイス（Ｓ１）及び記録媒体（ＳＢＴ）を更に含む、
ことを特徴とする請求項１に記載の音声システム。
【請求項１６】
増幅された第１の信号（ＤＡ２）を前記第１のラウドスピーカ（Ｌ１）に供給し、増幅された第２の信号（ＤＢ２）を前記第２のラウドスピーカ（Ｌ２）に供給するための増幅器（ＡＭＰ）、
を更に含む、
請求項１３に記載の音声システム。
【請求項１７】
前記第１及び第２の音響トランスデューサ構造体（ＳＡ、ＳＢ）は、各々少なくとも１つのラウドスピーカ（Ｌ１、Ｌ２）を含み、前記第１及び第２のラウドスピーカ（Ｌ１、Ｌ２）の配置がマイクロフォンの配置と逆である、
ことを特徴とする請求項１６に記載の音声システム。
【請求項１８】
少なくとも２つのチャンネル（Ｓ１、Ｓ２）を含む多チャンネル音声システムであって、前記少なくとも２つのチャンネル（Ｓ１、Ｓ２）の各々は、
指向性に関連する少なくとも１つの周波数範囲内の少なくとも１つの音響情報チャンネルにおいて、
第１の音響トランスデューサ構造体（ＳＡ）が単軸極応答パターンの最大方向感度において延びるか又はトロイダル極応答パターンの回転対称軸である第１の軸（ＶＡ）を有し、
第２の音響トランスデューサ構造体（ＳＢ）が単軸極応答パターンの最大方向感度において延びるか又はトロイダル極応答パターンの回転対称軸である第２の軸（ＶＢ）を有し、
前記第１及び第２の音響トランスデューサ構造体（ＳＡ、ＳＢ）が伝送波長に対して平坦又は凸状の膜部材を有する、
厳密に２つの前記音響トランスデューサ構造体（ＳＡ、ＳＢ）の少なくとも１つのペアと、
前記第１及び前記第２の音響トランスデューサ構造体（ＳＡ、ＳＢ）の両方が人間の基準聴取者（Ｃ２）の正中面（Ｃ３）の同じ側か又は該正中面（Ｃ３）上に存在している場合には、前記正中面（Ｃ３）と、前記第１の音響トランスデューサ構造体（ＳＡ）及び前記第２の音響トランスデューサ構造体（ＳＢ）の音響中心（ＡＣ、ＢＣ）を結ぶ線（Ｚ）との間で実質的に−３０度から３０度の角度、
前記第１及び第２のトランスデューサ構造体（ＳＡ、ＳＢ）が共に単軸極応答パターン又はトロイダル極応答パターンのいずれかを有する場合には、前記第１の軸（ＶＡ）と前記第２の軸（ＶＢ）との間で実質的に７０度から１１０度の角度、及び前記正中面（Ｃ３）と前記第１又は第２の軸（ＶＡ、ＶＢ）のいずれかとの間で実質的に７０度から１１０度の角度、
前記第１の音響トランスデューサ構造体（ＳＡ）が単軸極応答パターンを有し且つ前記第２のトランスデューサ構造体（ＳＢ）がトロイダル極応答パターン（ＳＢ）を有する場合には、前記第１の軸（ＶＡ）と前記第２の軸（ＶＢ）に対して垂直な平面との間で７０度から１１０度の角度、及び前記正中面（Ｃ３）と前記第１の軸（ＶＡ）又は前記第２の軸（ＶＢ）に対して垂直な前記平面のいずれかとの間で７０度から１１０度の角度、
を得るように前記音響トランスデューサ構造体（ＳＡ、ＳＢ）を配向する手段と、
を備え、
前記人間の基準聴取者（Ｃ２）の位置Ｐが、前記第１及び第２の音響トランスデューサ構造体（ＳＡ、ＳＢ）の最大方向感度のそれぞれの主軸及び／又は平面に対して軸外にあり、
前記音声システムには更に、
前記トランスデューサ構造体（ＳＡ、ＳＢ）から受信され、又は該トランスデューサ構造体（ＳＡ、ＳＢ）に供給される電気信号を処理（ＳＢＴ；ＡＭＰ）する手段、
が設けられ、
前記トランスデューサ構造体がラウドスピーカ（Ｌ１、Ｌ２）である場合、前記配向手段及び前記処理手段（ＡＭＰ）が、前記ラウドスピーカ（Ｌ１、Ｌ２）に共通である少なくとも前記情報に対して前記位置（Ｐ）において実質的に位相コヒーレントな音声波を得るように適合されている、
ことを特徴とする音声システム。
【請求項１９】
左チャンネル及び右チャンネルを含むステレオシステムであり、各々が、請求項１に記載の第１の音声システム（Ｓ１）と、請求項１に記載の第２の音声システム（Ｓ２）とをそれぞれ含み、横方向に変位されて前記正中面（Ｃ３）の異なる側に存在する、
請求項１８に記載の多チャンネル音声システム。
【請求項２０】
対応する前記第１又は第２のトランスデューサ構造体（ＳＡ、ＳＢ）が同一であり、且つ実質的に相対して配向された第１又は第２の軸（ＶＡ、ＶＢ）を有する、
ことを特徴とする請求項１９に記載の多チャンネル音声システム。
【請求項２１】
実質的に相対して配向された第１又は第２の軸（ＶＡ、ＶＢ）を有する前記対応する第１又は第２のトランスデューサ構造体（ＳＡ、ＳＢ）が、互いの音響中心（ＡＣ、ＢＣ）に向けられる、
ことを特徴とする請求項２０に記載の多チャンネル音声システム。
【請求項２２】
サブウーファチャンネル用信号が、他のラウドスピーカ（Ｌ１、Ｌ２）にわたって分割される、
ことを特徴とする請求項１８に記載の多チャンネル音声システム。
【請求項２３】
音響システムにおいて用いるためのスタンドであって、
指向性に関連する少なくとも１つの周波数範囲内の少なくとも１つの情報チャンネルにおいて、
第１の音響トランスデューサ構造体（ＳＡ）が単軸極応答パターンの最大方向感度において延びるか又はトロイダル極応答パターンの回転対称軸である第１の軸（ＶＡ）を有し、
第２の音響トランスデューサ構造体（ＳＢ）が単軸極応答パターンの最大方向感度において延びるか又はトロイダル極応答パターンの回転対称軸である第２の軸（ＶＢ）を有し、
前記第１及び第２の音響トランスデューサ構造体（ＳＡ、ＳＢ）が伝送波長に対して平坦又は凸状の膜部材を有する、
厳密に２つの前記音響トランスデューサ構造体（ＳＡ、ＳＢ）の少なくとも１つのペアと、
前記第１及び前記第２の音響トランスデューサ構造体（ＳＡ、ＳＢ）の両方が人間の基準聴取者（Ｃ２）の正中面（Ｃ３）の同じ側か又は該正中面（Ｃ３）上に存在している場合には、前記正中面（Ｃ３）と、前記第１の音響トランスデューサ構造体（ＳＡ）及び前記第２の音響トランスデューサ構造体（ＳＢ）の音響中心（ＡＣ、ＢＣ）を結ぶ線（Ｚ）との間で実質的に−３０度から３０度の角度、
前記第１及び第２のトランスデューサ構造体（ＳＡ、ＳＢ）が共に単軸極応答パターン又はトロイダル極応答パターンのいずれかを有する場合には、前記第１の軸（ＶＡ）と前記第２の軸（ＶＢ）との間で実質的に７０度から１１０度の角度、及び前記正中面（Ｃ３）と前記第１又は第２の軸（ＶＡ、ＶＢ）のいずれかとの間で実質的に７０度から１１０度の角度、
前記第１の音響トランスデューサ構造体（ＳＡ）が単軸極応答パターンを有し且つ前記第２のトランスデューサ構造体（ＳＢ）がトロイダル極応答パターン（ＳＢ）を有する場合には、前記第１の軸（ＶＡ）と前記第２の軸（ＶＢ）に対して垂直な平面との間で７０度から１１０度の角度、及び前記正中面（Ｃ３）と前記第１の軸（ＶＡ）又は前記第２の軸（ＶＢ）に対して垂直な前記平面のいずれかとの間で７０度から１１０度の角度、
を得るように前記音響トランスデューサ構造体（ＳＡ、ＳＢ）を配向する手段と、
を備え、
前記人間の基準聴取者（Ｃ２）の位置Ｐが、前記第１及び第２の音響トランスデューサ構造体（ＳＡ、ＳＢ）の最大方向感度のそれぞれの主軸及び／又は平面に対して軸外にあり、
前記音声システムには更に、
前記トランスデューサ構造体（ＳＡ、ＳＢ）から受信され、又は該トランスデューサ構造体（ＳＡ、ＳＢ）に供給される電気信号を処理（ＳＢＴ；ＡＭＰ）する手段、
が設けられ、
前記トランスデューサ構造体がラウドスピーカ（Ｌ１、Ｌ２）である場合、前記配向手段及び前記処理手段（ＡＭＰ）が、前記ラウドスピーカ（Ｌ１、Ｌ２）に共通である少なくとも前記情報に対して前記位置（Ｐ）において実質的に位相コヒーレントな音声波を得るように適合されており、
前記第１の音響トランスデューサ構造体（ＳＡ）の主軸／又は平面は、実質的に前記第２のトランスデューサ構造体（ＳＢ）の音響中心（ＢＣ）を指し、
前記スタンドは使用時には実質的に垂直方向に延びており、実質的に垂直に延びる第１の軸（ＶＡ）を有する前記第１のトランスデューサ構造体（ＳＡ）を保持するために第１のホルダを有し、実質的に水平に延びる第２の軸（ＶＢ）を有する前記第２のトランスデューサ構造体（ＳＢ）を保持するために第２のホルダに向かって配向されている、
ことを特徴とするスタンド。
【請求項２４】
第１の音響トランスデューサ構造体（ＳＡ）が単軸極応答パターンの最大方向感度において延びるか又はトロイダル極応答パターンの回転対称軸である第１の軸（ＶＡ）を有し、
第２の音響トランスデューサ構造体（ＳＢ）が単軸極応答パターンの最大方向感度において延びるか又はトロイダル極応答パターンの回転対称軸である第２の軸（ＶＢ）を有し、
前記第１及び第２の音響トランスデューサ構造体（ＳＡ、ＳＢ）が伝送波長に対して平坦又は凸状の膜部材を有する２つの前記音響トランスデューサ構造体（ＳＡ、ＳＢ）を含む、
ことを特徴とする単一ケーシング。
【請求項２５】
前記第１及び第２の音響トランスデューサ構造体（ＳＡ、ＳＢ）が回転対称極応答パターンを有する、
ことを特徴とする請求項２に記載の音声システム。